(57)【要約】【課題】商品収納袋において、持ち運び時に手指を掛ける部分の変形を抑制することである。【解決手段】商品収納袋１０は、対象商品８を収納可能な開口部１４を上部に有する袋本体部２０と、袋本体部２０の後面側から延出する蓋部３０と、蓋部３０に一体化されて設けられる蓋部補強シート３２と、袋本体部２０の前面側に一体化されて設けられる袋本体前面補強シート５０を含んで構成される。袋本体前面補強シート５０には、指入れ用を兼ねる袋本体側切込部５２が設けられ、蓋部補強シート３２の先端部には、袋本体側切込部５２に係止できる係止部３４が設けられ、係止部３４が袋本体側切込部５２に係止した状態で、袋本体側切込部５２に指入れが可能である。【選択図】図１
2009220878.tif 000002
【特許請求の範囲】
【請求項１】
対象商品を収納可能な開口部を上部に有する袋本体部と、
袋本体部の後面側から延出する蓋部であって、先端部が開口部を覆って袋本体部の前面側に曲げられる蓋部と、
蓋部に一体化されて設けられる蓋部補強シートと、
蓋部の先端部を袋本体部の前面側に対して開閉自在に着脱できる着脱手段と、
蓋部の先端部または袋本体部の前面側に設けられる指入れ用切欠部と、
を含み、
袋本体部は、
柔軟材で構成される前面シートと、
柔軟材で構成され、上方に蓋部が延出する後面シートと、
前面シートの両側辺部と、後面シートの蓋部の部分を除く両側辺部とがそれぞれ対応付けられて接合される側辺接合部と、
を有し、
蓋部補強シートは、袋本体部を構成する柔軟材よりも剛性の高い硬質材で構成され、蓋部と一体化して対象商品の少なくとも上部と前部とを覆うことを特徴とする商品収納袋。
【請求項２】
請求項１に記載の商品収納袋において、
前面シートと後面シートとが相互に接続する下方部において、両隅部が切り欠かれている下方両隅切欠部を有することを特徴とする商品収納袋。
【請求項３】
請求項１又は２に記載の商品収納袋において、
袋本体部の前面シートに一体化されて設けられ、袋本体部を構成する柔軟材よりも剛性の高い硬質材で構成される袋本体前面補強シートを含み、
着脱手段は、
袋本体前面補強シートが一体化された袋本体部の前面シートに設けられ、指入れ用を兼ねる袋本体側切込部と、
蓋部補強シートが一体化された蓋部の先端部に設けられ、袋本体側切込部に係止できる係止部であって、係止した状態で袋本体側切込部に指入れが可能となる係止部と、
を有することを特徴とする商品収納袋。
【請求項４】
請求項１又は２に記載の商品収納袋において、
着脱手段は、袋本体部の前面シートと蓋先端部との間に設けられる着脱自在の接着手段であり、
蓋部補強シートが一体化された蓋部の先端部は、指入れ用の蓋部切込部を有することを特徴とする商品収納袋。
【請求項５】
請求項４に記載の商品収納袋において、
袋本体部の前面シートに一体化されて設けられ、袋本体部を構成する柔軟材よりも剛性の高い硬質材で構成される袋本体前面補強シートを含み、
袋本体前面補強シートが一体化された袋本体部の前面シートに設けられ、蓋部切込部に対応する位置に指入れ用を兼ねる袋本体側切込部を有することを特徴とする商品収納袋。
【請求項６】
請求項１から５のいずれか１に記載の商品収納袋において、
前面シートと後面シートとは、折り返して重ね合わせた１枚のシート材から形成されていることを特徴とする商品収納袋。
【発明の詳細な説明】
【技術分野】
【０００１】
本発明は商品収納袋に係り、特に、対象商品を収納して展示し、そのまま手指を掛けて持ち運ぶことができる商品収納袋に関する。
【背景技術】
【０００２】
シャンプー、リンス、化粧品、飲料等を入れた成形容器等の各種の商品は、収納ケースに収納されて販売されることが多い。一般的に、このような収納ケースとしては、所定形状の合成樹脂製シート材や紙材等に折り罫線を形成し、この折り罫線においてシート材を折り曲げて直方体等の形状とされる。
【０００３】
また、本来は個別に販売されている複数の商品をいくつか纏めて１つのセットとして販売する場合に、１つの収納ケースに複数の商品が収納される。このようなセット販売をするために用いられる収納ケースとしては、購入したお客がそのまま持ち運べるように、展示用兼持ち運び用の袋体に適したものが好ましい。そのため、セット販売のための展示用兼持ち運び袋としては、上記の直方体に折り曲げて形成されるものに比べ、より柔軟なシート材が用いられ、持ち運び等に適した構造が工夫される。
【０００４】
例えば、特許文献１には、複数個の商品をセットにした状態で収納できる展示用袋兼用持ち運び袋として、前片と後片と、マチ部を設けた左右側片とをシールして底部を設けた柔軟な合成樹脂性フィルムの袋体が形成されることが述べられている。ここでは、前片に商品の展示用表示部を設けると共に、前片の上端を上方に延長して袋体の開口部を施蓋する蓋部を形成し、蓋部の内側に、蓋部と後片とを帯状に接着するシール部が設けられ、後片の蓋部が接着される位置の下方近傍に、持ち運び用の取っ手孔が開穿され、収納される商品のセット全体の上部から前面にかけて被着する断面が略Ｌ字形状の補強シートが形成されることが開示される。この補強シートは、商品の前面に重合される重合片と、商品の上部に被着される被着片と、被着片から延長され商品の一部に係止される係止片から構成されている。そして、商品に被着した補強シートの上から蓋部を施蓋して後片に蓋部を接着し、持ち運び時には、取っ手孔から補強シートにかけて手指を挿入して補強シートごと把持する取っ手孔の周囲の変形を防止する、と述べられている。
【０００５】
【特許文献１】実用新案登録第３１３５７２１号公報
【発明の開示】
【発明が解決しようとする課題】
【０００６】
従来技術によれば、複数の商品を余り嵩張らせずに展示販売でき、これらの商品をそのまま持ち運ぶことができる。しかしながら、上記構成によれば、前片、後片、左片、右片の４面からなる合成樹脂製フィルムを用い、それら各片の端部をそれぞれ熱シールすることで形成されるので製造工程が複雑になる。また、熱シール部分に起因する肉厚部が袋面の多くの箇所に生じる。また、補強シートの断面が略Ｌ字状であるため、これを対象商品の上部から前面にかけて被せても、持ち運び等の輸送中の振動によって補強シートが位置ずれし、場合によっては商品の上部から外れてしまうことが生じる。また、持ち運び時に手指を挿入するのは柔軟な合成樹脂性フィルムの袋体に設けられる取っ手孔そのものであるので、持ち運び時に取っ手孔の変形が生じやすい。
【０００７】
本発明の目的は、比較的簡易に製造でき、補強シートの位置ずれを生じさせない商品収納袋を提供することである。また、他の目的は、比較的簡易に製造でき、持ち運び時に手指を掛ける部分の変形を抑制できる商品収納袋を提供することである。また、さらに他の目的は、比較的簡易に製造でき、熱シールに起因する肉厚部の形成を抑制できる商品収納袋を提供することである。
【課題を解決するための手段】
【０００８】
本発明に係る商品収納袋は、対象商品を収納可能な開口部を上部に有する袋本体部と、袋本体部の後面側から延出する蓋部であって、先端部が開口部を覆って袋本体部の前面側に曲げられる蓋部と、蓋部に一体化されて設けられる蓋部補強シートと、蓋部の先端部を袋本体部の前面側に対して開閉自在に着脱できる着脱手段と、蓋部の先端部または袋本体部の前面側に設けられる指入れ用切欠部と、を含み、袋本体部は、柔軟材で構成される前面シートと、柔軟材で構成され、上方に蓋部が延出する後面シートと、前面シートの両側辺部と、後面シートの蓋部の部分を除く両側辺部とがそれぞれ対応付けられて接合される側辺接合部と、を有し、蓋部補強シートは、袋本体部を構成する柔軟材よりも剛性の高い硬質材で構成され、蓋部と一体化して対象商品の少なくとも上部と前部とを覆うことを特徴とする。
【０００９】
また、本発明に係る商品収納袋において、前面シートと後面シートとが相互に接続する下方部において、両隅部が切り欠かれている下方両隅切欠部を有していることが好ましい。
【００１０】
また、本発明に係る商品収納袋において、袋本体部の前面シートに一体化されて設けられ、袋本体部を構成する柔軟材よりも剛性の高い硬質材で構成される袋本体前面補強シートを含み、着脱手段は、袋本体前面補強シートが一体化された袋本体部の前面シートに設けられ、指入れ用を兼ねる袋本体側切込部と、蓋部補強シートが一体化された蓋部の先端部に設けられ、袋本体側切込部に係止できる係止部であって、係止した状態で袋本体側切込部に指入れが可能となる係止部と、を有することが好ましい。
【００１１】
また、本発明に係る商品収納袋において、着脱手段は、袋本体部の前面シートと蓋先端部との間に設けられる着脱自在の接着手段であり、蓋部補強シートが一体化された蓋部の先端部は、指入れ用の蓋部切込部を有することが好ましい。
【００１２】
また、本発明に係る商品収納袋において、袋本体部の前面シートに一体化されて設けられ、袋本体部を構成する柔軟材よりも剛性の高い硬質材で構成される袋本体前面補強シートを含み、袋本体前面補強シートが一体化された袋本体部の前面シートに設けられ、蓋部切込部に対応する位置に指入れ用を兼ねる袋本体側切込部を有することが好ましい。
【００１３】
また、本発明に係る商品収納袋において、前面シートと後面シートとは、折り返して重ね合わせた１枚のシート材から形成されていることが好ましい。
【発明の効果】
【００１４】
上記構成により、商品収納袋は、対象商品を収納可能な開口部を上部に有する袋本体部の後面側から延出する蓋部に一体化されて蓋部補強シートが設けられる。この蓋部補強シートは、袋本体部を構成する柔軟材よりも剛性の高い硬質材で構成され、蓋部と一体化して対象商品の少なくとも上部と前部とを覆う。これによって、補強シートの位置ずれを生じさせない商品収納袋を比較的簡易に製造することができる。
【００１５】
また、商品収納袋において、前面シートと後面シートとが相互に接続する下方部において両隅部が切り欠かれているので、底マチ部を別途熱シール等によって形成することなく商品収納袋を製造でき、熱シールの箇所を少なくし、肉厚部が生じることを抑制できる。
【００１６】
また、商品収納袋において、袋本体部の前面シートに一体化されて袋本体前面補強シートが設けられ、この袋本体前面補強シートは、袋本体部を構成する柔軟材よりも剛性の高い硬質材で構成される。そして、蓋部の先端部を袋本体部の前面側に対して開閉自在に着脱できる着脱手段として、袋本体前面補強シートが一体化された袋本体部の前面シートに設けられ、指入れ用を兼ねる袋本体側切込部と、蓋部補強シートが一体化された蓋部の先端部に設けられ、袋本体側切込部に係止できる係止部であって、係止した状態で袋本体側切込部に指入れが可能となる係止部とが設けられる。これによって持ち運び時に手指を掛ける部分の変形が抑制された商品収納袋を比較的簡易に製造できる。
【００１７】
また、商品収納袋において、着脱手段として、袋本体部の前面シートと蓋先端部との間に着脱自在の接着手段が設けられ、蓋部補強シートが一体化された蓋部の先端部には、指入れ用の蓋部切込部が設けられる。これによって、蓋部の先端部を袋本体部の前面側に対し、開閉のための着脱を容易に行うことができる。
【００１８】
また、商品収納袋において、袋本体部の前面シートに一体化されて袋本体前面補強シートが設けられ、この袋本体前面補強シートは、袋本体部を構成する柔軟材よりも剛性の高い硬質材で構成される。そして、袋本体前面補強シートが一体化された袋本体部の前面シートには、指入れ用を兼ねる袋本体側切込部が蓋部切込部に対応する位置に設けられる。これによって持ち運び時に手指を掛ける部分の変形が抑制された商品収納袋を比較的簡易に製造できる。
【００１９】
また、商品収納袋において、前面シートと後面シートとは、折り返して重ね合わせた１枚のシート材から形成されているので、熱シールに起因する肉厚部の形成が抑制された商品収納袋を比較的簡易に製造できる。
【発明を実施するための最良の形態】
【００２０】
以下に図面を用いて本発明に係る実施の形態につき詳細に説明する。以下では、商品収納袋として、同じ化粧品を２つセット販売するために用いるものを説明するが、これは例示であって、収納される個数は何個でもよく、また、同じ商品でなくても異なる種類の商品を収納するものであってもよい。また、以下で述べる形状、寸法、厚さ等は例示であって、実際の商品の形状、寸法、重さ等に応じ適宜変更が可能である。また、一部の図では、商品収納袋を構成するシート材を透明として、外側から袋の内側が見えるようにしてあるが、これは勿論説明のための便宜であり、シート材が着色、模様付、不透明であっても構わない。
【００２１】
以下では、全ての図面において同様の要素には同一の符号を付し、重複する説明を省略する。また、説明においては、必要に応じそれ以前に述べた符号を用いるものとする。
【００２２】
図１は、商品収納袋１０の概要を示す図である。図２は、商品収納袋１０を一部断面図で示す側面図、図３は、商品収納袋１０の平面図である。この商品収納袋１０は、対象商品を収納して販売等のために展示し、そのまま手指を掛けて持ち運ぶことができるものである。図１、図２においては、商品収納袋１０の構成要素ではないが、収納する対象商品８として、化粧品が図示されている。また、図２には、運ぶときの様子を説明するために手指６が図示されている。
【００２３】
商品収納袋１０は、対象商品８を収納可能な開口部１４を上部に有する袋本体部２０と、袋本体部２０の後面側から延出する蓋部３０と、蓋部３０に一体化されて設けられる蓋部補強シート３２と、袋本体部２０の前面側に一体化されて設けられる袋本体前面補強シート５０を含んで構成される。
【００２４】
袋本体部２０は、１枚の柔軟なシート材を折り返し、折り返して重ねられる両側片を接合面２８で接合して、袋状にしたものであり、袋状の開口部１４から対象商品８が収納される。図１の例では、２個の化粧品がセットとして収納されている。そして、袋状となった前面側には、販売のための表示がなされる表示部１２が設けられる。もっとも、表示部１２を後面側に設けるものとしても構わない。
【００２５】
袋本体部２０において、１枚のシートを折り返して重ねたときに、表示部１２が設けられる袋本体部前面側のシートを前面シート２２、もう一方で前面シート２２の袋本体部背面側に当たるシートを後面シート２４と呼ぶことにすると、後面シート２４の方が前面シート２２よりも長めに延出しており、また、前面シート２２の一部も後面シート２４の延出ほどではないが長めに延出している。
【００２６】
後面シート２４から延出した部分が蓋部３０であり、この蓋部３０に蓋部補強シート３２が取り付けられる。また、前面シート２２の延出した部分に袋本体前面補強シート５０が取り付けられる。そして、図３に示されるように、前面シート２２と後面シート２４とが相互に接続する下方部において、両隅部が切り欠かれて、下方両隅切欠部２５となっている。すなわち、袋本体部２０の底面側は、両側が開放状態の帯状形状を有し、この部分が底マチ部２６となる。
【００２７】
袋本体部２０は、上記のように１枚のシート材を折り返して接合面２８で接合して袋状にしたものであるが、シート材としては、対象商品８の形状に追従できる程度の柔軟性を有するプラスチックフィルムを用いることができる。プラスチックフィルムの材質としては特に限定されないが、例えば、ポリプロピレン、ポリエチレン等のポリオレフィン系、ポリエチレンテレフタレート等のポリエステル系、ポリスチレン系、ポリアミド系等を用いることができる。また、同種または異種の材質のシートを積層した積層シートを用いることもできる。
【００２８】
袋本体部２０の柔軟性は、厚みに依存するが、上記の各種材質を用いるものとして、通常、４０μｍから１５０μｍの範囲の厚みを用いることができる。好ましくは、８０μｍから１２０μｍの範囲の厚みが望ましい。
【００２９】
袋本体部２０を形成するために両側片を接合面２８で接合する方法としては、接着剤、または溶剤を用いて前面シート２２と後面シート２４とを接着する接着法、内面にシーラント層を有するシート材を用いて加熱によってシールする熱シール法を用いることができる。シーラント層としては、例えば、直鎖状低密度ポリエチレン等のポリエチレン層を用いることができる。この他に、前面シート２２と後面シート２４を重ね合わせた状態で線状に加熱し溶断すると共に熱シールする熱溶断法を用いることができる。熱溶断法によれば、形状切断とともに熱シールができ、また、他の方法に比べ接合層の肉厚部分を低減できる。したがって、以下では、前面シート２２と後面シート２４の側辺を接合する側辺接合部である接合面２８は、熱溶断法によって接合が形成されるものとして説明する。
【００３０】
蓋部３０は、上記のように、袋本体部２０の後面シート２４が延出した部分であって、先端部が袋本体部２０の開口部１４を覆って、さらに前面シート２２側に曲げられる部分である。蓋部３０自身は、袋本体部２０を構成する柔軟なシート材で構成されるので、蓋部３０が前面シート２２と後述のように係止によって一体化されても、そのままでは、蓋部３０に手指を掛けて持ち運ぶには不便である。そこで、蓋部３０に蓋部補強シート３２が取り付けられる。
【００３１】
また、蓋部３０が曲げられてその先端部が向かい合うところは、前面シート２２が上方に延出している部分に対応するが、その前面シート２２の延出している部分も袋本体部２０を構成する柔軟なシート材で構成されるので、係止によって蓋部３０と一体化されても、そのままでは、蓋部３０に手指を掛けて持ち運ぶと前面シート２２の部分が変形して不便である。そこで、前面シート２２の延出部分に袋本体前面補強シート５０が取り付けられる。
【００３２】
図３には、蓋部補強シート３２と袋本体前面補強シート５０の形状を抜き出して示してある。袋本体部２０に対し、蓋部補強シート３２と袋本体前面補強シート５０とを一体化する手順等については後述する。
【００３３】
先に袋本体前面補強シート５０を説明すると、袋本体前面補強シート５０は、上記のように、前面シート２２の上方に延出した部分に取り付けられ、袋本体部２０を構成する柔軟なシート材よりも剛性の高い硬質材で構成されるシート状部材である。袋本体前面補強シート５０の外形は、前面シート２２の上方に延出した部分の形状に従ったものとなっている。図１では、袋本体前面補強シート５０の外形と、前面シート２２の上方に延出した部分の形状とが重なって示されている。
【００３４】
袋本体前面補強シート５０には、指入れ用を兼ねる袋本体側切込部５２が設けられる。袋本体側切込部５２は、これに手指を入れて商品収納袋１０を持ち運びするときの取っ手となる部分であり、後述する蓋部補強シート３２の係止部３４と係止する機能を有する部分である。袋本体側切込部５２は、矩形形状の１辺を開閉のための支点部分として残し、他の３辺に相当するところに切り込みを設け、切り込みによって形成された部分が扉状に開閉できるものである。矩形形状の両端部は、丸みを帯びさせて略Ｃ字形状とすることができる。このような切り込みは、有端非直線状の切り込みと呼ぶことができる。手指を挿入できる開口を形成し、切り欠いた部分が分離せずに残されて開閉できるものであればこれ以外の形状であってもよい。また、場合によっては、単純に手指の入る開口部としてもよい。
【００３５】
袋本体前面補強シート５０は、後述するように蓋部補強シート３２と係止するときは、全体が対象商品８の側に曲げられ、また、上記のように袋本体側切込部５２が扉状に開閉するものであるときには、これらが曲がりやすいように罫線刻み等の折れ曲がり案内を設けることが好ましい。ここでは、折れ曲がり案内として、ローレット状の溶着パターン５４，５６が設けられる。溶着パターン５４，５６は、例えば、超音波方式のロータリ溶着装置によってローレット状ポイント溶接を順次行うことで得ることができる。
【００３６】
袋本体前面補強シート５０は、袋本体部２０を構成する柔軟なシート材よりも剛性の高い硬質材で構成される。袋本体前面補強シート５０は、対象商品８の前面に配置されるので、対象商品８が見えるように前面シート２２が透明または半透明等で構成されるときには、袋本体前面補強シート５０についても、透明、または半透明の材料を選択することが好ましい。袋本体前面補強シート５０としては、特に限定されず、袋本体部２０を構成するシート材と同様な材質のプラスチックシートを用いることができる。すなわち、プラスチックシートの材質としては、例えば、ポリプロピレン、ポリエチレン等のポリオレフィン系、ポリエチレンテレフタレート等のポリエステル系、ポリスチレン系、ポリアミド系等を用いることができる。また、同種または異種の材質のシートを積層した積層シートを用いることもできる。
【００３７】
剛性は、厚みに依存するが、上記の各種材質を用いるものとして、通常、０．２ｍｍから１．０ｍｍの範囲の厚みを用いることができる。好ましくは、０．２ｍｍから０．８ｍｍの範囲の厚みが望ましい。
【００３８】
蓋部補強シート３２は、蓋部３０の先端側に取り付けられるもので、その外形は、蓋部３０の先端側の外形に従ったものとなっている。蓋部補強シート３２は２つの部分から構成される。１つの部分は、蓋部３０の幅一杯の大きさを有し、蓋部３０と一体化して対象商品８を覆うときに天面となる部分である。この天面となる部分が平坦面となるように、境界となるところに、折り曲がり案内を設けることが好ましい。ここでは、折れ曲がり案内として、ローレット状の溶着パターン３６，３８が設けられる。溶着パターン３６，３８で挟まれた細長い幅の部分が蓋部３０の天面となる部分である。
【００３９】
蓋部補強シート３２のもう１つの部分は、天面となる部分のさらに先の先端部に設けられ、袋本体前面補強シート５０に設けられる袋本体側切込部５２と係止することができる切り込み端部を有する係止部３４である。係止部３４は、袋本体側切込部５２の開口の大きさよりも大き目の端部形状を有し、シートの弾性を利用して切り込み端部を曲げて袋本体側切込部５２の開口に挿入した後に、元の形状に戻ることで、袋本体側切込部５２としっかり係止する。係止部３４を曲げやすいように、折れ曲がり案内として、ローレット状の溶着パターン４０が設けられる。
【００４０】
蓋部補強シート３２は、袋本体部２０を構成する柔軟なシート材よりも剛性の高い硬質材で構成される。具体的には、袋本体前面補強シート５０で述べたものと同様の材質、厚さのプラスチックシートを用いることができる。透明または半透明、積層シートに関しても、袋本体前面補強シート５０で述べたことと同様に考えることができる。
【００４１】
このように、蓋部補強シート３２の係止部３４と、袋本体前面補強シート５０に設けられる袋本体側切込部５２とは、蓋部３０の先端部を袋本体部２０の前面側に対して開閉自在に着脱できる着脱手段である。そして、袋本体側切込部５２は、また、商品収納袋１０を持ち運ぶための指入れ用切欠部でもある。
【００４２】
図２には、蓋部補強シート３２と袋本体前面補強シート５０に関する係止状態が示されている。すなわち、袋本体前面補強シート５０に設けられる袋本体側切込部５２の扉部分が押し開けられて、その開口に蓋部補強シート３２の係止部３４が挿入され、しっかりと係止されている。そして、この係止した状態で、袋本体側切込部５２に、手指６が挿入でき、剛性のある蓋部補強シート３２、袋本体前面補強シート５０に手指６を掛けて、対象商品８が収納された商品収納袋１０を持ち運びすることができる。
【００４３】
次に、商品収納袋１０の製造方法について、図４から図７を用いて説明する。最初に、図４に示すように、袋本体部２０の原材料に相当する柔軟なプラスチックフィルム６０が巻かれたロールと、蓋部補強シート３２の原材料に相当する剛性の高いプラスチックシート６２が巻かれたロールと、袋本体前面補強シート５０の原材料に相当する剛性の高いプラスチックシート６４が巻かれたロールとが用意される。なお、プラスチックシート６２とプラスチックシート６４とは同じ材質、同じ厚さで、幅寸法が異なるだけとすることができる。また、プラスチックフィルム６０は、プラスチックシート６２とプラスチックシート６４と同じ材質で、厚さが異なるだけとすることもできる。
【００４４】
そして、プラスチックフィルム６０の幅方向の両端側に、予め定められた相互配置関係で、プラスチックシート６２，６４が配置される。そして、超音波方式ロータリ溶着装置６６，６８を用いて、ローレット状の溶着パターン３６，３８，４０，５４，５６が設けられる。溶着パターン３６，３８，４０は、プラスチックフィルム６０とプラスチックシート６２との間でポイント溶着されるもので、上記で述べた蓋部補強シート３２における３つの平行に配置される溶着パターン３６，３８，４０と同じものである。同様に、溶着パターン５４，５６は、プラスチックフィルム６０とプラスチックシート６４との間でポイント溶着されるもので、上記で述べた袋本体前面補強シート５０における２つの平行に配置される溶着パターン５４，５６と同じものである。
【００４５】
なお、プラスチックフィルム６０とプラスチックシート６２との間、プラスチックフィルム６０とプラスチックシート６４との間において、これらの溶着パターンのほかに、さらに接着剤等を用いて接合するものとしてもよい。
【００４６】
プラスチックフィルム６０、プラスチックシート６２，６４において、所定の溶着パターン３６，３８，４０，５４，５６が形成されると、次に、図５に示されるように、予め定められた位置に、プラスチックシート６２側の外形部７２、プラスチックシート６４側の外形部７４が適当な抜き刃工具を用いて形成される。外形部７２は、蓋部補強シート３２の係止部３４を含む外形に対応し、外形部７４は、袋本体前面補強シート５０の外形に対応する。なお、外形部７４の形成の際に、袋本体側切込部５２も形成される。
【００４７】
抜き刃工具による加工が終わると、次に、図６に示されるように、加工済みのシートが折り返されて重ねられる。これによって、前面シート２２と後面シート２４の区別が現れてくる。折り返しと重ね合わせは、図５で説明した外形部７２と外形部７４とが対応して重なるように行われる。この状態で、商品収納袋１０の外形に相当するものがシートの長手方向に沿って複数配置された状態となる。なお、ここではまだ、下方両隅切欠部２５が切り欠かれていない。次に、個別の商品収納袋１０を形成しながら、隣接する商品収納袋１０と分離するために、熱溶断法によって、接合面２８が形成される。接合面２８は、隣接する商品収納袋１０の境界線に沿って形成される。
【００４８】
熱溶断法は、フィルムを重ね合わせて加熱し、上下フィルムを接合すると共に分離するものである。これによって、図６の状態から、個別の商品収納袋１０の外形に相当するものが分離されて得られる。そして、下方両隅切欠部２５が切り欠かれる。このようにして、図７に示されるような商品収納袋１０が得られる。図７の商品収納袋１０は、図３で説明したものと同じものである。このようにして、袋本体部２０に蓋部補強シート３２、袋本体前面補強シート５０が一体化された商品収納袋１０を製造することができる。
【００４９】
なお、上記の製造例では、加工済みシートを折り返して熱溶断した後に下方両隅切欠部２５が切り欠いて製造したが、この工程順序に限定されるものではなく、加工済みシートを折り返した後、先に下方両隅切欠部２５を切り欠いてから熱溶断して製造してもよいし、加工済みシートを折り返す前に定められた位置に適当な抜き刃工具を用いて下方両隅切欠部２５を形成し、その後に加工済みシートを折り返して熱溶断して製造してもよい。
【００５０】
熱溶断法を適用する際に、接合面の形状を変更することで、対象商品の形状に合わせた商品収納袋を得ることができる。図８、図９にその一例を示す。ここでは、商品収納袋８０は、対象商品を収納する部分が突出円弧形状を有している。すなわち、商品収納袋８０の上部である蓋部３０から下部である底マチ部２６の方に向かって、前面シート８４の幅、後面シート８６の幅が、次第に広くなり、その後次第に狭くなる形状を有する。これに伴って、向かい合う２つの接合面８２の間の間隔距離が、商品収納袋８０の上部である蓋部３０から底部の方に向かって、次第に広くなり、その後次第に狭くなり、いわゆる突出円弧状となる。
【００５１】
このように、熱溶断法の接合面８２の形状を突出円弧状とすることで、対象商品を収納する部分を突出円弧形状とする商品収納袋８０の外形に相当するものが分離して得られる。その後、下方両隅切欠部２７が切り欠かれ、図９に示されるような商品収納袋８０を得ることができる。この商品収納袋８０は、対象商品が、軸方向に沿って中央部が突き出して円弧形状となるものであるとき、すなわち、軸方向に沿って上方および下方にいずれも縮径するものであるときに、効率よく収納することができる。
【００５２】
図１０は、対象商品を収納する部分をくぼみ円弧形状とする商品収納袋９０を得る例を示す図である。ここでは、熱溶断法の接合面９２の形状をくぼみ円弧状とすることで、商品収納袋９０の上部から下部に向かって、前面シート９４の幅、後面シート９６の幅を、次第に狭くなり、その後次第に広くなる形状とすることができる。この商品収納袋９０は、対象商品が、軸方向に沿って中央部がくぼんで円弧形状となるものであるとき、すなわち、中央部が上部、下部に対し縮径するものであるときに、効率よく収納することができる。
【００５３】
図１１は、対象商品を収納する部分を上部が広く下部が狭い下テーパの傾斜形状とする商品収納袋１００を得る例を示す図である。ここでは、熱溶断法の接合面１０２の形状を下テーパの傾斜状とすることで、商品収納袋９０の上部から下部に向かって、前面シート１０４の幅、後面シート１０６の幅を、次第に狭くなる形状とすることができる。この商品収納袋９０は、対象商品が、軸方向に沿って上部から下部に向かって傾斜する形状となるものであるとき、すなわち、上部から下部に向かって縮径するものであるときに、効率よく収納することができる。
【００５４】
図１２は、底マチ部に関する下方両隅切欠部を用いない商品収納袋１１０を示す図である。ここでは、向かい合う接合面１１２は底部まで平行な直線状のものとされる。これによって、前面シート１１４と後面シート１１６は、底マチ部がないように接続される。この商品収納袋１１０は、対象商品の厚さが薄く平板状の場合に、効率よく収納することができる。
【００５５】
図１３は、底マチ部に関する下方両隅切欠部２５を用いないが、底マチ部１２８を十分に取った商品収納袋１２０を示す図である。ここでは、底マチ部１２８を除いて、向かい合う接合面１２２は、底部まで直線状のものとされる。これによって、前面シート１２４と後面シート１２６は、底マチ部１２８を十分にとって接続される。この商品収納袋１２０は、対象商品の厚さが厚い場合に、効率よく収納することができる。
【００５６】
このように、接合面の形状等を変更することで、袋本体部２０の両側辺部の形態を対象商品の形状に適合するように形成することができる。これによって、袋本体部２０と対象商品との密着部分が増加し、袋本体部２０の中で対象商品が動き難くなり、かつ、外観上綺麗な包装体を適用することができる。
【００５７】
上記では、蓋部の先端部を袋本体部の前面側に対して開閉自在に着脱できる着脱手段として、袋本体前面補強シート５０の袋本体側切込部５２と、蓋部補強シート３２の係止部３４とによる係止を用いるものとして説明した。着脱手段としては、蓋部の先端部と袋本体部の前面とを接着テープ等の着脱自在の接着手段を用いることができる。
【００５８】
図１４に示す商品収納袋１３０は、蓋部１３２の先端部、すなわち蓋部補強シート１３４の先端部に係止部を設けずに、接着テープ１３８を設けたものである。蓋部補強シート１３４は、図１から図３で説明した蓋部補強シート３２と同様の材質、厚さのプラスチックシートで形成され、袋本体部２０を構成するプラスチックフィルムよりも剛性が高い。
【００５９】
ここでは、蓋部補強シート１３４の先端部において、指入れ用の蓋部切込部１３６が設けられる。この蓋部切込部１３６は、蓋部１３２が対象商品を覆って袋本体前面補強シート５０の側に曲がったときに、袋本体側切込部５２に対応する位置に設けられる。蓋部切込部１３６の形状は、袋本体側切込部５２と対称形で、蓋部１３２が対象商品を覆って袋本体前面補強シート５０の側に曲がり、袋本体側切込部５２に重ね合わせられたときに、同じ形状となるようにされる。
【００６０】
図１５に、蓋部補強シート１３４と袋本体前面補強シート５０に関する状態が示されている。ここでは、蓋部１３２が対象商品を覆って前面シート２２の側に曲げられて、その先端部の接着テープ１３８によって、前面シート２２の表面にしっかりと固定される様子が示されている。接着テープ１３８は着脱自在の一時的接着手段であるので、蓋部１３２の先端部を摘み上げることで、蓋部１３２を容易に開状態とすることができる。そして、ここでは、袋本体側切込部５２に重ねられて蓋部切込部１３６が配置されるので、指入れができる開口が形成される。この開口に手指６を挿入し、剛性のある蓋部補強シート１３４、袋本体前面補強シート５０に手指６を掛けて、対象商品が収納された商品収納袋１３０を持ち運びすることができる。
【００６１】
図１６は、図１４において、袋本体前面補強シートを省略した商品収納袋１４０を示す図である。ここでは、前面シート２２から上方に延出した部分もなく、袋本体前面補強シートも設けられない。もっとも、前面シート２２から上方に延出した部分を適当に残してもよい。それ以外の構成は図１４と同じである。
【００６２】
図１７には、この商品収納袋１４０についての蓋部補強シート１３４と前面シート２２に関する状態が示されている。ここでは、蓋部１３２が対象商品を覆って前面シート２２の側に曲げられて、その先端部の接着テープ１３８によって、前面シート２２の表面にしっかりと固定される様子が示されている。接着テープ１３８は着脱自在の一時的接着手段であるので、蓋部１３２の先端部を摘み上げることで、蓋部１３２を容易に開状態とすることができる。そして、ここでも、蓋部補強シート１３４に蓋部切込部１３６が配置されているので、指入れができる開口が形成される。この開口に手指６を挿入し、剛性のある蓋部補強シート１３４に手指６を掛けて、対象商品が収納された商品収納袋１４０を持ち運びすることができる。
【００６３】
なお、図１４から図１７において、接着テープを蓋部の先端部に設けるものとして説明したが、これを前面シートの対応する位置に設けるものとしてもよい。
【図面の簡単な説明】
【００６４】
【図１】本発明に係る実施の形態における商品収納袋の概要を示す図である。
【図２】本発明に係る実施の形態における商品収納袋を一部断面図で示す側面図である。
【図３】本発明に係る実施の形態における商品収納袋の平面図である。
【図４】本発明に係る実施の形態において、商品収納袋の製造方法の手順の中で、プラスチックフィルムと２種類のプラスチックシートが用意されて、溶着パターンが形成される様子を示す図である。
【図５】本発明に係る実施の形態において、商品収納袋の製造方法の手順の中で、切欠部、外形部等が形成される様子を示す図である。
【図６】本発明に係る実施の形態において、商品収納袋の製造方法の手順の中で、加工されたシートが折り返されて重ねられ、熱溶断法によって接合面が形成される様子を示す図である。
【図７】本発明に係る実施の形態において、熱溶断法によって形成された個々の商品収納袋の様子を示す図である。
【図８】本発明に係る実施の形態において、接合面の形状を変更して突出円弧形状を有する商品収納袋を製造する様子を示す図である。
【図９】図８によって製造された商品収納袋の様子を示す図である。
【図１０】本発明に係る実施の形態において、くぼみ円弧形状を有する商品収納袋の様子を示す図である。
【図１１】本発明に係る実施の形態において、下テーパ傾斜形状を有する商品収納袋の様子を示す図である。
【図１２】本発明に係る実施の形態において、底マチ部を省略した商品収納袋の様子を示す図である。
【図１３】本発明に係る実施の形態において、十分な底マチ部を有する商品収納袋の様子を示す図である。
【図１４】本発明に係る実施の形態において、蓋部の先端部に接着テープを設けた商品収納袋の様子を示す図である。
【図１５】図１４における蓋部と前面シートとの関係を示す図である。
【図１６】図１４において、袋本体前面補強シートを省略した商品収納袋を示す図である。
【図１７】図１６における蓋部と前面シートとの関係を示す図である。
【符号の説明】
【００６５】
６  手指、８  対象商品、１０，８０，９０，１００，１１０，１２０，１３０，１４０  商品収納袋、１２  表示部、１４  開口部、２０  袋本体部、２２，８４，９４，１０４，１１４，１２４  前面シート、２４，８６，９６，１０６，１１６，１２６  後面シート、２５，２７  下方両隅切欠部、２６，１２８  底マチ部、２８  接合面、３０，１３２  蓋部、３２，１３４  蓋部補強シート、３４  係止部、３６，３８，４０，５４，５６  溶着パターン、５０  袋本体前面補強シート、５２  袋本体側切込部、６０  プラスチックフィルム、６２，６４  プラスチックシート、６６，６８  超音波方式ロータリ溶着装置、７２，７４  外形部、８２，９２，１０２，１１２，１２２  接合面、１３６  蓋部切込部、１３８  接着テープ。
【図１】
2009220878.tif 000003
【図２】
2009220878.tif 000004
【図３】
2009220878.tif 000005
【図４】
2009220878.tif 000006
【図５】
2009220878.tif 000007
【図６】
2009220878.tif 000008
【図７】
2009220878.tif 000009
【図８】
2009220878.tif 000010
【図９】
2009220878.tif 000011
【図１０】
2009220878.tif 000012
【図１１】
2009220878.tif 000013
【図１２】
2009220878.tif 000014
【図１３】
2009220878.tif 000015
【図１４】
2009220878.tif 000016
【図１５】
2009220878.tif 000017
【図１６】
2009220878.tif 000018
【図１７】
2009220878.tif 000019